【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
シートフレーム上に取付けるように適合された取付アセンブリ（２４）を有する人間工学サポートであって、
ヒンジアクスル（８、３０８）と、
第１のブレード（１０、１１０、３１０）および第２のブレード（１２、１１２、３１２）であって、各々が、人間工学サポート部分（１４、１６、１１４、１１６、３１４、３１６）、力付与部分（２８、３０、３２８、３３０）、およびヒンジ部分（２２）を有し、これらが、
力が加えられると前記第１のブレードおよび第２のブレードがシザーズ作用で移動するように、前記第１のブレードおよび第２のブレードの前記ヒンジ部分が対向して前記ヒンジアクスルと係合し、
前記第１のブレードおよび前記第２のブレードの前記力付与部分が、力が前記シザーズ作用を引起すと前記取付アセンブリ上で平行移動するように、前記取付アセンブリ上に取付けられるように組立てられる、第１のブレードおよび第２のブレードと、
を特徴とする人間工学サポート。
【請求項２】
加えられた力が前記シザーズ作用を引起すように、前記ブレードの前記力付与部分の少なくとも１つと係合された力アプリケータ（４４、１５４、３５４）をさらに特徴とする、
請求項１に記載のシザーズ人間工学サポート。
【請求項３】
前記力アプリケータが、スリーブ（３６）とワイヤ（３８）とを有するボーデンケーブル（３４）であり、前記ワイヤが、前記スリーブ内に同軸上に摺動配置され、前記スリーブおよび前記ワイヤの各々が、第１の端部と第２の端部とを有し、
前記ワイヤの前記第１の端部が、前記ブレードの一方の前記力付与部分と作動的に係合され（４２、３４２）、
前記スリーブの前記第１の端部が、前記ブレードの他方の前記力付与部分と作動的に係合され（４０、３４０）、
前記スリーブおよび前記ワイヤの前記第２の端部が、アクチュエータと作動的に係合され、
それにより、前記ボーデンケーブルに対する牽引が、前記ブレードの前記力付与部分をともに引寄せ、前記ブレードの前記シザーズ作用を引起し、それにより、前記ブレードの前記人間工学サポート部分をシート占有者の方に延在させる、
請求項２に記載のシザーズ人間工学サポート。
【請求項４】
前記力アプリケータが手動で動力供給される、
請求項１に記載のシザーズ人間工学サポート。
【請求項５】
前記力アプリケータが電気モータによって動力供給される、
請求項１に記載のシザーズ人間工学サポート。
【請求項６】
前記力アプリケータが牽引する、
請求項１に記載のシザーズ人間工学サポート。
【請求項７】
前記シザーズ作用の間前記ヒンジアクスルがシート占有者の方に移動するように、前記力アプリケータが力を加えると、前記力付与部分が前記取付アセンブリに沿って平行移動する、
請求項１に記載のシザーズ人間工学サポート。
【請求項８】
前記ヒンジアクスルが、前記ブレードの各々の上の前記人間工学サポート部分と前記力付与部分との間にある、
請求項１に記載のシザーズ人間工学サポート。
【請求項９】
前記ヒンジアクスルが実質的に垂直である、
請求項１に記載のシザーズ人間工学サポート。
【請求項１０】
前記人間工学サポート部分が可撓性である、
請求項１に記載のシザーズ人間工学サポート。
【請求項１１】
前記人間工学サポート部分がランバーサポートである、
請求項１に記載のシザーズ人間工学サポート。
【請求項１２】
前記人間工学サポート部分が、前記ヒンジアクスルの高さを超えて延在する、
請求項１に記載のシザーズ人間工学サポート。
【請求項１３】
前記ブレードの前記ヒンジ部分が差込配置される、
請求項１に記載のシザーズ人間工学サポート。
【請求項１４】
前記ブレードの前記力付与部分が、非対称かつ相補的である、
請求項１に記載のシザーズ人間工学サポート。
【請求項１５】
実質的に水平の軸を中心としてピボットするように前記取付アセンブリと係合されたピボットブラケット（１６２）をさらに含み、
前記力付与部分が、力が前記シザーズ作用を引起すと前記ピボットブラケット上で平行移動するように、前記ピボットブラケットと係合され、
前記ピボットブラケットおよび前記取付アセンブリと係合された第２の力アプリケータ（１６６、３６６）であって、前記第２の力アプリケータによって第１の方向に加えられた力が、前記人間工学サポート部分のより高い領域をシート占有者の方に前進させ、前記第２の力アプリケータによって第２の方向に加えられた力が、前記人間工学サポート部分のより低い領域をシート占有者の方に前進させる、第２の力アプリケータをさらに含む、
請求項１に記載のシザーズ人間工学サポート。
【請求項１６】
前記第２の力アプリケータが電気モータによって動力供給される、
請求項１５に記載のシザーズ人間工学サポート。
【請求項１７】
前記第２の力アプリケータが牽引する、
請求項１５に記載のシザーズ人間工学サポート。
【請求項１８】
前記取付アセンブリが水平ロッド要素（１２４）である、
請求項１４に記載のシザーズ人間工学サポート。
【請求項１９】
前記水平ロッド要素がオフセットセクション（１２５）を有し、前記第２の力アプリケータが、第１のスリーブ内で軸方向に摺動するように配置された第１のワイヤを有する第１の牽引ケーブルから構成され、第１のスリーブ端部が前記ブラケットの頂部に取付けられ、第１のワイヤ端部が前記水平ロッド要素の前記オフセットに取付けられ、前記第２の力アプリケータが、第２のスリーブ内で軸方向に摺動するように配置された第２のワイヤを有する第２の牽引ケーブルからさらに構成され、第２のスリーブ端部が前記ブラケットの底部に取付けられ、第２のワイヤ端部が前記水平ロッド要素の前記オフセットに取付けられる、
請求項１７に記載のシザーズ人間工学サポート。
【請求項２０】
ヒンジと、
前記ヒンジを介して接続された上方レバー対と、
前記ヒンジを介して接続された下方レバー対と、
前記ヒンジにおいて前記上方レバー対および前記下方レバー対にそれぞれ接続された圧力表面対であって、該圧力表面対の各々の圧力表面が、前記上方レバー対から前記下方レバー対にかけて架設された上方部分および下方部分を有する、圧力表面対と、
前記レバー対の少なくとも一つと係合するアクチュエータと、
を備える圧力ゾーン用の人間工学サポート。
【請求項２１】
中央レバーアーム対をさらに備えており、
前記アクチュエータが、前記中央レバーアーム対に係合するものである、
請求項２０記載の人間工学サポート。
【請求項２２】
前記レバーアーム対は、Ｕ型レバーアームと、前記アクチュエータ用の留具付きレバーアームと、をさらに備える、
請求項２１記載の人間工学サポート。
【請求項２３】
前記圧力表面対の各々の圧力表面は、前記レバー対のそれぞれのレバーに固着されたものである、
請求項２０記載の人間工学サポート。
【請求項２４】
前記圧力表面対の各々の圧力表面は、前記レバー対のそれぞれのレバーと一体化されたものである、
請求項２０記載の人間工学サポート。
【請求項２５】
前記圧力表面対の各々の圧力表面は、端部に可撓性ゾーンを有する、
請求項２０記載の人間工学サポート。
【請求項２６】
離間配置された案内ワイヤの対をさらに備えており、
前記上方レバー対は、前記案内ワイヤ対の一方のワイヤと摺動するように係合しており、
前記下方レバー対は、前記案内ワイヤ対の他方のワイヤと摺動するように係合しており、
請求項２０記載の人間工学サポート。
【請求項２７】
前記アクチュエータは、前記圧力表面対を平坦位置から延在位置へ移動させるものであり、
前記延在位置は、前記圧力表面対の間の脊柱緩和間隙を形成する、
請求項２０記載の人間工学サポート。
【請求項２８】
前記ヒンジは、前記上方レバー対に接続された上方ヒンジと、前記下方レバー対に接続された下方ヒンジと、をさらに備える、
請求項２０記載の人間工学サポート。
【請求項２９】
前記レバー対の少なくとも一つが、マウント対をさらに備えており、
前記アクチュエータが、前記マウント対の一方のマウントに接続されたスリーブを有するボーデンケーブルと、前記マウント対の他方のマウントに接続されたワイヤと、をさらに備える、
請求項２０記載の人間工学サポート。
【手続補正２】
【補正対象書類名】明細書
【補正対象項目名】００３９
【補正方法】変更
【補正の内容】
【００３９】
ここで、フレームワイヤ１６０は、ブラケット１６２上に取付けられる。ブラケット１６２は、ピボットマウント１６４を有し、ピボットマウント１６４によって、ブラケット１６２は、取付ワイヤ１２４上でピボットすることができるように、取付ワイヤ１２４に連結される。
【手続補正３】
【補正対象書類名】明細書
【補正対象項目名】００４５
【補正方法】変更
【補正の内容】
【００４５】
図１２Ａおよび図１２Ｂは、シザーズランバーサポートで達成される、全圧力ゾーン高さの有利な維持を示す。圧力表面全体が、シザーズランバーサポートの延在時に乗客の方に前進されるので、プッシュゾーン２２０は、それが乗客の方にさらに延在されるとき高さを少しも失わない。対照的に、図１２Ｂは、先行技術のランバーサポートのプッシュゾーン２３０が、ランバーサポートのさらなる前進とともに垂直に減少することを示す。したがって、シザーズランバーサポートは、先行技術のサポートより快適である。
【手続補正４】
【補正対象書類名】明細書
【補正対象項目名】００４７
【補正方法】変更
【補正の内容】
【００４７】
図１３、１４、および１５に示された代替実施形態において、レバーアーム延在部３２８および３３０は、強度を促進するために一体化される。図１３、１つの幅広の延在部３２８が、ボーデンケーブルスリーブマウント３４０、および２つのガイドワイヤ３２４上にアセンブリを取付けるための２つの摺動マウント３３３の両方を支持する。非対称かつ相補的レバーアーム延在部３３０は、２つの上部および下部延在部を結合する１つの垂直ウェブを有するＵ字形部材であり、それも、ガイドレール３２４に沿った移動のための摺動マウント３３３だけでなく、ボーデンケーブルワイヤマウント３４２も支持する。スリーブマウント３４０およびワイヤマウント３４２は、図１４に示されているように置換えてもよい。